Podtech/llm-jp-corpus-v4-ja_patent huggingface dataset:
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
患者の生命兆候、特に血圧を測定／モニタリングするためのシステムにおいて、少なくとも下着のウエストバンドに配される複数の電極、及び脈波伝達時間を用いて前記電極から測定値を得るための手段、を有するシステム。
【請求項２】
前記電極は導電性ゴムからなる乾電極を有する請求項１に記載のシステム。
【請求項３】
前記ウエストバンドに４つの前記電極が存在している請求項１又は２に記載のシステムにおいて、電流を投入するための第１の電極の対及び結果生じる電圧の変化を測定するための第２の電極の対を有し、これにより生体インピーダンス技術を用いて測定が行われるシステム。
【請求項４】
前記電極は、前記患者の中心大動脈において通過する脈を測定するように配される請求項１、２又は３に記載のシステム。
【請求項５】
前記下着はパンツを含む請求項１乃至４の何れか一項に記載のシステム。
【請求項６】
左右の大腿部において通過する脈を測定するために、前記パンツの脚部に追加の電極が設けられている請求項５に記載のシステム。
【請求項７】
脈波速度測定は、離間したセンサ間の脈波伝達時間を検出することにより行われる請求項１乃至６の何れか一項に記載のシステム。
【請求項８】
脈波速度測定は、前記身体上の所与のセンサ位置において、動脈におけるＥＣＧのＲピークと通過する脈との時間差を検出することにより行われる請求項１乃至６の何れか一項に記載のシステム。
【請求項９】
３軸の加速度計をさらに有し、これにより患者の姿勢又は活動レベルを検出し、運動により生じる信号アーチファクトを補償することができる請求項１乃至８の何れか一項に記載のシステム。
【請求項１０】
センサ信号を受信するためのフロントエンド回路、データを記憶するための手段、並びに外部データ処理及び／又は制御手段と通信するためのＲＦトランシーバ手段を持つ信号処理ユニットを含む請求項１乃至９の何れか一項に記載のシステム。
【請求項１１】
前記ユニットは、患者からの手動の入力を受け入れ、前記システム及び前記患者の状態に関する情報を前記外部手段に送信することにも適している請求項１０に記載のシステム。
【請求項１２】
患者に危険状態を知らせるための警報器をさらに有する請求項１０又は１１に記載のシステム。
【請求項１３】
外部の専門的な支援の提供元に警報を送るための手段をさらに有する請求項１０、１１又は１２に記載のシステム。
【請求項１４】
前記システムは、長期間にわたり心臓の活動を記録するように、ホルターモニター又は携帯型心電図装置として動作するように構成される請求項１０乃至１３の何れか一項に記載のシステム。
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
熱トリップを含む自動消火器及びノズル用密封装置であって、ノズル本体（２）と、出口導管（１１）と、出口開口（１０）とを含み、該ノズル本体（２）の出口開口（１０）の上方には、該出口開口（１０）及び該出口導管（１１）を密封閉鎖する構造部品（２１）が配置されており、該構造部品（２１）はカバープレート（２０）によって保持され、該カバープレート（２０）は、溶融トリップ機器（５）によってリング（２２）に連結され、該リング（２２）は機械式手段によって、前記ノズル本体（２）に堅固に連結され、加熱要素（２３）が前記リング（２２）に取り付けられていることを特徴とする密封装置。
【請求項２】
前記ノズル本体（２）及び前記カバープレート（２０）の間に配置される前記構造部品（２１）は、負荷がかけられたばね要素であることを特徴とする請求項１に記載の密封装置。
【請求項３】
前記構造部品（２１）は、負荷がかけられた円板ばねであることを特徴とする請求項２に記載の密封装置。
【請求項４】
前記構造部品（２１）は、熱の影響下でかなり変形させられる材料であることを特徴とする請求項２に記載の密封装置。
【請求項５】
前記構造部品（２１）は、バイメタルから作られると共に、熱の影響下で変形する要素であることを特徴とする請求項４に記載の密封装置。
【請求項６】
前記加熱要素（３）は抵抗加熱手段であることを特徴とする請求項１に記載の密封装置。
【請求項７】
前記加熱要素（２３）は、加熱効果を生じさせる誘導コイルであることを特徴とする請求項１に記載の密封装置。
【請求項８】
前記ミストノズル（１）は、ハウジング（４０）に構造的且つ物理的に連結されることを特徴とする請求項１に記載の密封装置。
【請求項９】
サーモスタット（３０）が前記ハウジング（４０）に取り付けられることを特徴とする請求項７に記載の密封装置。
【請求項１０】
煙センサ（３１）が前記ハウジング（４０）に取り付けられることを特徴とする請求項７に記載の密封装置。
【請求項１１】
プログラム可能なインテリジェント要素（３２）が、前記ハウジング（４０）に取り付けられることを特徴とする請求項７に記載の密封装置。
【請求項１２】
エネルギ源（３３）が前記ハウジング（４０）に取り付けられることを特徴とする請求項８に記載の密封装置。
【請求項１３】
前記サーモスタット（３０）、煙センサ（３１）、インテリジェント要素（３２）、及びエネルギ源（３３）と合わせて、前記ミストノズル（１）及びハウジング（４０）からなるユニットは、中央制御システムから独立して作用するユニットを形成することを特徴とする請求項７に記載の密封装置。
【請求項１４】
前記サーモスタット（３０）、煙センサ（３１）、インテリジェント要素（３２）、及びエネルギ源（３３）と合わせて、前記ミストノズル（１）及びハウジング（４０）からなるユニットは、多くの提示された種類の密封装置の安全構造体全体の一部であることを特徴とする請求項７に記載の密封装置。
【請求項１５】
前記サーモスタット（３０）、煙センサ（３１）、及びインテリジェント要素（３２）と合わせて、前記ミストノズル（１）及びハウジング（４０）からなるユニットは、中央システムに連結されることを特徴とする請求項７に記載の密封装置。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
低分子量前駆体であって、
強求電子体である少なくとも3つの官能基を含む約2000以下の分子量を有する生体適合性液体架橋剤を含み、前記架橋剤が、約50℃未満で融解物を形成する、前記前駆体。
【請求項２】
R-(A)nの式を含む架橋剤を含み本質的に水を含まない精製製剤を含む、水溶性前駆体であって、Aが強求電子性官能基であり、nが少なくとも2であり、かつRが約40〜約4000の分子量を有し、ならびにRがアミド、第二級アミン又は第三級アミン官能基を含む、前記前駆体。
【請求項３】
Rが、ポリマーである、又は、複数のリシン及び／若しくはアスパラギン酸を含む、請求項2記載の架橋剤。
【請求項４】
AがN-ヒドロキシコハク酸イミド又はスルホヒドロキシコハク酸イミドである、請求項2又は3記載の架橋剤。
【請求項５】
前記架橋剤がポリエチレングリコール誘導体であり、かつ／又は、前記官能基が、エポキシド、N-ヒドロキシコハク酸イミド、アクリレート、メタクリレート、マレイミド又はN-ヒドロキシスルホコハク酸イミドである、請求項1記載の前駆体。
【請求項６】
前記架橋剤が、約50℃未満で液体であり、かつ、約2000以下の分子量を有する、請求項1〜5のいずれかに記載の前駆体。
【請求項７】
前記架橋剤が室温で固体である、請求項6記載の前駆体。
【請求項８】
生物学的流体の架橋方法であって、生物学的流体を請求項1〜7のいずれかに記載の架橋剤と合わせ、前記生物学的流体の内因性タンパク質を共有結合的に架橋させて、架橋ゲルを形成することを含む、前記方法。
【請求項９】
前記生物学的流体が、血液流体、アルブミン、血漿、血清、プール血漿、血清、腹腔液、脳脊髄液、粘液及び精液からなる群のうちのいずれかである、請求項8記載の方法。
【請求項１０】
血管壁の治療用医薬の製造のための、請求項1〜7のいずれかに記載の化合物の使用。
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
被験者の病的状態を検出するためのシステムであって、前記システムが、
心臓活動記録装置と、
記録データを記憶するための記憶媒体と、
異所性心室興奮の心拍数依存性パターンの心電図パラメータ相関値及び／又は持続性測定値を導くためのプロセッサと、
を含む、
ことを特徴とするシステム。
【請求項２】
前記記録装置が、ＥＣＧ記録計である、
ことを特徴とする請求項１に記載のシステム。
【請求項３】
前記ＥＣＧ記録計が、前記被験者に埋め込み可能であるように適合される、
ことを特徴とする請求項２に記載のシステム。
【請求項４】
前記相関値が、Ｎ−Ｎ間隔を心電図パラメータの心拍数依存性揺らぎと相関付けることにより得られる、
ことを特徴とする請求項１に記載のシステム。
【請求項５】
被験者の病態を判断するための相関値の使用方法であって、前記被験者の心電図（ＥＣＧ）又は前記被験者の心臓活動を反映する他の記録の心電図パラメータの心拍数依存性揺らぎをＮ−Ｎ間隔とを相関付けて心電図パラメータ相関値を導くことによって前記相関値が導かれ、該相関値に基づいて前記病態が判断される、
ことを特徴とする使用方法。
【請求項６】
前記病態が心不整脈に関連する、
ことを特徴とする請求項５に記載の使用方法。
【請求項７】
前記心電図パラメータが、心室期外収縮（Ｖ）から洞性拍動（Ｎ）までの連結間隔、連続Ｖ拍動間の時間間隔、２つのＶ拍動間の介在性洞性拍動（ＮＩＢ）の数、及び短−長Ｒ−Ｒシーケンス後の二連脈の開始を含む群から選択される、
ことを特徴とする請求項５に記載の使用方法。
【請求項８】
前記病態が、Ｎ−Ｎ間隔とＶ−Ｖ間隔、Ｎ−Ｎ間隔と２つのＶ拍動間のＮ拍動の数、及びＮ−Ｎ間隔とＣＩとの間の関係に基づいて判断される、
ことを特徴とする請求項７に記載の使用方法。
【請求項９】
前記病態が、Ｖ−Ｎ拍動パターンに含まれる心室期外収縮（ＰＶＣ）の割合を示す値に基づいて判断される、
ことを特徴とする請求項７に記載のＮ拍動の数。
【請求項１０】
被験者の病態を判断するための相関値の使用方法であって、前記相関値が、前記被験者の心電図（ＥＣＧ）又は前記被験者の心臓活動を反映する他の記録における異所性心室興奮の心拍数依存性パターンの持続性を測定することにより導かれ、前記測定した持続性により前記病態が判断される、
ことを特徴とする使用方法。
【請求項１１】
前記病態が心不整脈に関連する、
ことを特徴とする請求項１０に記載の使用方法。
【請求項１２】
異所性心室興奮の前記心拍数依存性パターンが、二連脈、三連脈及び四連脈から選択される、
ことを特徴とする請求項１０に記載の使用方法。
【請求項１３】
前記測定段階が、持続性プロット分析に基づく、
ことを特徴とする請求項１０に記載の使用方法。
【請求項１４】
前記病態が、突然心臓死又は心停止である、
ことを特徴とする請求項５又は１０に記載の使用方法。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
以下の群：
ａ．配列番号１を含む核酸、
ｂ．配列番号１の相補物を含む核酸、
ｃ．配列番号１５または配列番号１７を含む配列番号１の核酸のフラグメント、
から選択される単離核酸配列。
【請求項２】
請求項１に記載の単離核酸配列であって、
（ｉ）核酸は、抗アニサキス抗体によって認識され得る、１０以上連続する配列番号２の隣接アミノ酸をコードする配列番号１のフラグメントを含むか、若しくは、
（ｉｉ）核酸は、抗アニサキス抗体によって認識され得る、１２以上連続する配列番号２の隣接アミノ酸をコードする配列番号１のフラグメントを含む核酸。
【請求項３】
以下の群：
ａ．配列番号２を含むポリペプチド、タンパク質、またはペプチド、
ｂ．配列番号１６または配列番号１８を含む配列番号２のフラグメント、
から選択される、請求項１に記載のいずれかの単離核酸配列によってコードされる単離ポリペプチド、ペプチドまたはタンパク質。
【請求項４】
請求項３に記載の単離ポリペプチド、ペプチド、またはタンパク質であって、
（ｉ）配列番号２のフラグメントは、抗アニサキス抗体によって認識され得る、１０以上連続する隣接アミノ酸を含むか、若しくは、
（ｉｉ）配列番号２のフラグメントは、抗アニサキス抗体によって認識され得る、１２以上連続する隣接アミノ酸を含むフラグメント。
【請求項５】
請求項３または４に記載の単離ペプチド、ポリペプチド、またはタンパク質、もしくは請求項１または２に記載の単離核酸配列であって、これらの配列のいずれかと少なくとも７０％の同一性を有する、単離ペプチド、ポリペプチド、またはタンパク質、もしくは単離核酸配列。
【請求項６】
請求項３または４に記載の単離ペプチド、ポリペプチド、またはタンパク質、もしくは請求項１または２に記載の単離核酸配列であって、これらの配列のいずれかと少なくとも８０％または９０％の同一性を有する、単離ペプチド、ポリペプチド、またはタンパク質、もしくは単離核酸配列。
【請求項７】
以下の群：
ａ．配列番号７を含むアミノ酸配列、
ｂ．配列番号８を含むアミノ酸配列、
ｃ．配列番号９を含むアミノ酸配列、
ｄ．配列番号１０を含むアミノ酸配列、
ｅ．配列番号１１を含むアミノ酸配列、
ｆ．配列番号１２を含むアミノ酸配列、
ｇ．配列番号１３を含むアミノ酸配列、
ｈ．配列番号１４を含むアミノ酸配列
から選択される、アミノ酸配列を含む単離ペプチド、ポリペプチド、またはタンパク質、若しくは、そのアミノ酸配列をコードする核酸。
【請求項８】
請求項３〜７のいずれかのアミノ酸配列を２つ以上含む、ペプチド、ポリペプチド、またはタンパク質、もしくはそのアミノ酸配列をコードするいずれかの核酸配列。
【請求項９】
前記請求項のいずれかに記載の単離した核酸配列又はアミノ酸配列であって、核酸又はアミノ酸配列はシグナル分子で標識されている核酸配列又はアミノ酸配列。
【請求項１０】
前記標識分子が、以下の群：
ａ．放射性
ｂ．酵素
ｃ．蛍光性
ｄ．発光性
ｅ．化学発光性
ｆ．ハプテン
ｇ．呈色性
から選択される、請求項９に記載の単離核酸配列またはアミノ酸配列。
【請求項１１】
前記標識分子が、以下の群：
ａ．ビオチンまたはその誘導体
ｂ．ニトロフェノール誘導体
ｃ．コロイド状金
ｄ．ラテックス
から選択される、前記請求項に記載の単離核酸配列またはアミノ酸配列。
【請求項１２】
付加的なペプチド、ポリペプチド、またはタンパク質に化学的に融合または結合した、請求項３〜８のいずれかに記載の単離ポリペプチド、ポリペプチド、またはタンパク質。
【請求項１３】
請求項１、２、５〜８のいずれかに記載のヌクレオチド配列を含む発現ベクターまたは発現系。
【請求項１４】
請求項１、２、５〜１１のいずれかに記載の核酸配列で、または請求項１３に記載の発現ベクターまたは発現系で形質転換またはトランス フェクトされた単離原核または真核宿主細胞。
【請求項１５】
以下の手法：
ａ．組換え手法
ｂ．化学合成
ｃ．アニサキス科の線虫の実質的精製
のいずれかによって、請求項３〜８または１２のいずれかに記載のペプチド、ポリペプチド、またはタンパク質を作製する方法。
【請求項１６】
ａ．生物学的試料、好ましくは血清を、請求項３〜１２のいずれかのペプチド、ポリペプチド、またはタンパク質と、前記ポリペプチドと前記試料中の抗体との間で免疫複合体を形成するために十分な条件下で接触させること、
ｂ．前記免疫複合体を検出すること、
を含む、生物学的試料中のアニサキス種に対する抗体を検出する方法。
【請求項１７】
前記方法が、免疫検定法または酵素免疫検定法である、請求項１６に記載の方法。
【請求項１８】
請求項３〜８または１２のいずれかに記載のペプチド、ポリペプチド、またはタンパク質、もしくは請求項２、５〜８のいずれかに記載のヌクレオチド配列を含む免疫学的組成物。
【請求項１９】
アニサキス種に対するアレルギーの治療のための薬剤の製造における、請求項３〜８または１２のいずれかに記載のペプチド、ポリペプチド、またはタンパク質の使用。
【請求項２０】
請求項３〜８または１２のいずれかに記載のペプチド、ポリペプチド、またはタンパク質を含む、生物学的試料中の抗アニサキス種抗体を検出するためのキット。
【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
コア−コーティング構成を有する食品グレード粒子であって、該コーティングが少なくとも１つの層を含み、該層のそれぞれが少なくとも５０重量％の部分的に中和されたポリカルボン酸を含む組成物により作られており、該部分的に中和されたポリカルボン酸は、酸の形にある少なくとも１つのカルボキシル基と塩の形にある少なくとも１つのカルボキシル基とを有し、且つ、該コアが少なくとも１つの食品グレード酸又はその塩を含み、該コア及び該コーティングが異なる組成を有し且つ該部分的に中和されたポリカルボン酸が、リンゴ酸、クエン酸、フマル酸、アジピン酸、酒石酸、及びそれらの混合物から選ばれる酸に基づくものであることを特徴とする、上記食品グレード粒子。
【請求項２】
該コーティング層が、全粒子の、最小で２０重量％、好ましくは４０〜８０重量％である、請求項１の食品グレード粒子。
【請求項３】
該コーティングが、部分的に中和されたポリカルボン酸の混合物を含む、請求項１又は２の食品グレード粒子。
【請求項４】
該部分的に中和されたポリカルボン酸が、リンゴ酸水素一ナトリウム又は一カリウム、クエン酸二水素一ナトリウム又は一カリウム、クエン酸水素二ナトリウム又は二カリウム、及びこれらの混合物から選ばれる、請求項１〜３のいずれか１項の食品グレード粒子。
【請求項５】
該コアが、少なくとも１つの食品グレード有機酸又はその塩を含む、請求項１〜４のいずれか１項の食品グレード粒子。
【請求項６】
該食品グレード有機酸が、リンゴ酸、乳酸、酢酸、クエン酸、フマル酸、アジピン酸、酒石酸及びこれらの組合せから選ばれる、請求項５の食品グレード粒子。
【請求項７】
該コーティングがリンゴ酸水素一ナトリウム又は一カリウムを含み、且つ、該コアが乳酸及び／又はその塩を含む、請求項１の食品グレード粒子。
【請求項８】
該コーティングがリンゴ酸水素一ナトリウム又は一カリウムを含み、且つ、該コアがリンゴ酸及び／又はその塩を含む、請求項１の食品グレード粒子。
【請求項９】
請求項１〜８のいずれか１項の食品グレード粒子を含む、食物製品。
【請求項１０】
香辛料混合物、ベーカリー製品、及び、菓子製品から選ばれる、請求項９の食物製品。
【請求項１１】
請求項１〜８のいずれか１項の食品グレード粒子の調製の方法であって、食品グレードコアを、部分的に中和されたポリカルボン酸を含む溶液と接触させることにより該コアが被覆される上記方法。
【請求項１２】
該食品グレードコアが、該コア上に該溶液をスプレーすること又は振りかけることにより被覆される、請求項１１に記載の方法。
【請求項１３】
リンゴ酸及びリンゴ酸水素一ナトリウムを含む食品グレードコアを、リンゴ酸水素一ナトリウムを含む溶液と接触させることにより該コアが被覆される、請求項１１又は１２に記載の方法。
【請求項１４】
部分的に中和されたポリカルボン酸をコーティング剤として使用する方法であって、該部分的に中和されたポリカルボン酸が、リンゴ酸、クエン酸、フマル酸、アジピン酸、酒石酸、及びそれらの混合物から選ばれる酸に基づくものである上記方法。
【請求項１５】
該部分的に中和されたポリカルボン酸がリンゴ酸水素ナトリウム又はカリウムである、請求項１４に記載の方法。
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
線維芽細胞増殖因子、ヘパリンやアスコルビン酸又はリン酸化アスコルビン酸、又はこれらの誘導体を添加した細胞培養培地により構成された細胞培養容器において霊長類胚性幹細胞を調製すること、及び、該霊長類胚性幹細胞を未分化状態で維持すること、より構成される、フィーダー細胞や血清のない細胞培養条件で、霊長類の胚性幹細胞を維持するための方法。
【請求項２】
以下の工程ｉ）及びｉｉ）：
ｉ）タンパク質より成る基礎的な培養支持体にてコートした培養容器を用い、該培養容器の中でインシュリン、トランスフェリン、セレン酸ナトリウム、エタノールアミン、２−メルカプトエタノール、脂肪酸除去したウシアルブミンと複合させたオレイン酸より構成され、更に線維芽細胞増殖因子、ヘパリンやアスコルビン酸又はリン酸化アスコルビン酸、又はこれらの誘導体を添加した細胞培養培地により霊長類胚性幹細胞を調製する工程、及び
ｉｉ）該霊長類胚性幹細胞を未分化状態で維持する工程、
より構成される、フィーダー細胞や血清のない細胞培養条件で、霊長類の胚性幹細胞を維持するための方法。
【請求項３】
以下の工程ｉ）及びｉｉ）：
ｉ）タンパク質より成る基礎的な培養支持体にてコートした培養容器を用い、インシュリン、トランスフェリン、セレン酸ナトリウム、エタノールアミン、２−メルカプトエタノール、脂肪酸除去したウシアルブミンと複合させたオレイン酸より構成され、更に線維芽細胞増殖因子及びヘパリンを添加した細胞培養培地により霊長類胚性幹細胞を調製する工程、及び
ｉｉ）少なくとも１細胞種への該霊長類胚性幹細胞の分化を誘導する因子を添加する工程、
より構成される、フィーダー細胞や血清のない細胞培養条件で、霊長類の胚性幹細胞を少なくとも１細胞種に分化させるための方法。
【請求項４】
タンパク質をベースとする培養支持体上の霊長類胚性幹細胞、及び、インシュリン、トランスフェリン、セレン酸ナトリウム、エタノールアミン、２−メルカプトエタノール、脂肪酸除去したウシアルブミンと複合させたオレイン酸を含む細胞培養培地を含み、該細胞培養培地に、更に線維芽細胞増殖因子、ヘパリン及びアスコルビン酸又はリン酸化アスコルビン酸、又はこれらの誘導体を添加されている細胞培養物。
【請求項５】
タンパク質をベースとする培養支持体上の霊長類胚性幹細胞、及び、インシュリン、トランスフェリン、セレン酸ナトリウム、エタノールアミン、２−メルカプトエタノール、脂肪酸除去したウシアルブミンと複合させたオレイン酸を含む細胞培養培地を含み、該細胞培養培地に、更に線維芽細胞増殖因子、ヘパリン及びアスコルビン酸又はリン酸化アスコルビン酸、又はこれらの誘導体を添加されており、当該培地が、さらに霊長類胚性幹細胞の少なくとも１細胞種への分化を誘導させる少なくとも１種類の因子を含む細胞培養物。
【請求項６】
インシュリン、トランスフェリン、セレン酸ナトリウム、エタノールアミン、２−メルカプトエタノール、脂肪酸除去したウシアルブミンと複合させたオレイン酸を含み、更に線維芽細胞増殖因子、ヘパリン及びアスコルビン酸又はリン酸化アスコルビン酸、又はこれらの誘導体を添加した細胞培養培地を含んでなる細胞培養容器。
【請求項７】
インシュリン、トランスフェリン、セレン酸ナトリウム、エタノールアミン、２−メルカプトエタノール、脂肪酸除去したウシアルブミンと複合させたオレイン酸を含み、更に線維芽細胞増殖因子、ヘパリン及びアスコルビン酸又はリン酸化アスコルビン酸、又はこれらの誘導体を添加した細胞培養培地を含む細胞培養培地容器。
【請求項８】
インシュリン、トランスフェリン、セレン酸ナトリウム、エタノールアミン、２−メルカプトエタノール、脂肪酸除去したウシアルブミンと複合させたオレイン酸を含み、更に線維芽細胞増殖因子及びヘパリンを添加した細胞培養培地を含む細胞培養培地容器。
【手続補正書】
【提出日】平成22年7月1日(2010.7.1)
【手続補正１】
【補正対象書類名】明細書
【補正対象項目名】００８１
【補正方法】変更
【補正の内容】
【００８１】
好ましくは、該培養は管理条件下で、総乾燥重量の一定比を脂肪酸として産生し得る；その比率は５〜８０％の範囲にある。好ましくは、該培養は管理条件下で、総乾燥重量の一定比をＥＰＡとして産生し得る；その比率は（乾燥重量で）１〜８０％の範囲にある。好ましくは、該培養は管理条件下で、極性脂質に含まれる総脂肪酸の２５％〜６０％を脂肪酸として産生し得る；より好ましくはその比率は３０％を超え、より好ましくは４０％以上であり、さらにより好ましくは５０％以上である。
好ましくは、該有機炭素成分は、４〜２４時間の期間に、培養物の将来予測される増殖に従って、経時的に増加させ供給する。
【手続補正２】
【補正対象書類名】明細書
【補正対象項目名】００８２
【補正方法】変更
【補正の内容】
【００８２】
好ましくは、該培養は管理条件下で、ガラクトリピド中に含まれる総脂肪酸の５％〜４０％を脂肪酸として産生し得る；より好ましくはその比率は１０％を超え、より好ましくは２０％以上であり、さらにより好ましくは３０％以上である。
【手続補正３】
【補正対象書類名】明細書
【補正対象項目名】００８３
【補正方法】変更
【補正の内容】
【００８３】
好ましくは、該培養は管理条件下で、極性脂質（中性脂質とは明らかに異なるものとして）に含まれるＥＰＡの４０％〜７０％をＥＰＡとして産生し得る；より好ましくはその比率は５０％を超え、より好ましくは６０％以上である。
第二の広義の局面において、本発明は、本明細書にすでに記載した培養物に由来するＥＰＡ濃厚組成物であって、該ＥＰＡ濃厚組成物が以下の工程：
選択した時間に培地から細胞を採取する工程；
内在性酵素を変性させるために細胞を加熱またはさもなくば死滅させる工程；
細胞をバイオマスのケーキに成型する工程；
第一の非選択的脂質溶媒でバイオマスのケーキを抽出し、抽出した物質を残渣として溶媒から回収する工程（略臨界のジメチルエーテルの使用が一つの選択である）；
該残渣を第二の選択的溶媒により抽出して、中性ＥＰＡ濃厚脂質組成物が極性ＥＰＡ濃厚脂質組成物から分離されるようにし、場合によってはさらに、必要な標準的純度を達成するために、ＥＰＡ濃厚組成物のいずれかのタイプまたは両方をさらに精製する工程；
からなる採取方法によって得る組成物を提供する。
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
複合繊維であって
少なくとも１つのポリオキサジアゾールポリマーと、
少なくとも１つの軟質鎖状ポリマーとを含み、前記軟質鎖状ポリマーがポリオキサジアゾールポリマーでない複合繊維。
【請求項２】
請求項１に記載の複合繊維を含む物品。
【手続補正２】
【補正対象書類名】明細書
【補正対象項目名】００２２
【補正方法】変更
【補正の内容】
【００２２】
実施例２
Ｋ−９０の代わりに低分子量のＰＶＰ（約６０，０００の重量平均分子量を有するＫ−３０）であることを除いて、同じ方法で調製した繊維サンプルも、Ｂａｓａｃｒｙｌ  Ｒｅｄ  ＧＬ（塩基性染料）によって濃色に染色された。
次に、本発明の態様を示す。
1.  複合繊維であって
少なくとも１つのポリオキサジアゾールポリマーと、
少なくとも１つの軟質鎖状ポリマーとを含み、前記軟質鎖状ポリマーがポリオキサジアゾールポリマーでない複合繊維。
2.  前記ポリオキサジアゾールポリマーが、
2009542935.tif 000001
からなる群から選択される繰り返し単位を含む上記１に記載の複合繊維。
3.  前記ポリオキサジアゾールポリマーが、
2009542935.tif 000002
からなる群から選択される少なくとも２個の繰り返し単位を含む上記２に記載の複合繊維。
4.  前記軟質鎖状ポリマーが、６−ナイロン、６，６−ナイロン、６，１２−ナイロン、ポリアニリン、ポリエーテルケトンケトン（ＰＥＫＫ）、芳香族ポリアミド類、ポリビニルピロリドン（ＰＶＰ）およびポリビニルピロリドン（ＰＶＰ）のコポリマーからなる群から選択される上記１に記載の複合繊維。
5.  前記軟質鎖状ポリマーが、ポリビニルピロリドンまたはポリビニルピロリドンのコポリマーである上記４に記載の複合繊維。
6.  前記ポリオキサジアゾールポリマーが、コポリマーである上記１に記載の複合繊維。
7.  前記ポリオキサジアゾールコポリマーが、
2009542935.tif 000003
からなる群から選択される少なくとも２つの芳香環系を含む上記６に記載の複合繊維。
8.  前記複合繊維が、キセノンランプに２０時間曝露した後にその強力の少なくとも１５パーセントを保持する上記１に記載の複合繊維。
9.  前記複合繊維が、染色可能である上記１に記載の複合繊維。
10.  前記軟質鎖状ポリマーが、約２〜９８重量パーセントの量で存在する上記１に記載の複合繊維。
11.  前記軟質鎖状ポリマーが、約５〜９８重量パーセントの量で存在する上記１０に記載の複合繊維。
12.  前記複合繊維は、キセノンランプに２０時間曝露した後にその強力の少なくとも１５パーセントを保持する上記１０に記載の複合繊維。
13.  前記複合繊維が、キセノンランプに２０時間曝露した後にその強力の少なくとも３５パーセントを保持する上記 １０に記載の複合繊維。
14.  上記１に記載の複合繊維を含む物品。
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
震域にある軟弱地盤（１）に施工されるトンネルにおいて：
トンネルボーリングマシーンによって装填した、プレキャスト部材で形成された外側チューブ（３）と、当該外側チューブを外側型枠として用いて構築され、前記トンネルの補強材（７）を有する内側チューブ（４）と、の二つのチューブを具えることを特徴とするトンネル。
【請求項２】
請求項１に記載のトンネルにおいて、トンネル軸に沿って規則的な間隔で設けられており、水平方向に変形可能なパイル（６）を介して下側に延在し、硬質地盤（２）に打ち込まれているコンクリートブロック（５）を配置したことを特徴とする請求項１に記載のトンネル。
【手続補正２】
【補正対象書類名】明細書
【補正対象項目名】全文
【補正方法】変更
【補正の内容】
【発明の詳細な説明】
【発明の名称】地震時の挙動を改良したトンネル
【技術分野】
【０００１】
[発明の概要]
震域の軟弱地盤（１）に施工される地震時の挙動を改良したトンネルであって、これは、２本のチューブ、具体的には、トンネルボーリングマシーンによって装頓したプレキャスト部材により作られた外側チューブ（３）と、外側チューブを外側型枠として使用して設けられており、トンネルの抵抗補強部材（７）を構成している内側チューブ（４）で構成されている。トンネルの軸に沿って規則的な間隔を設けたベアリングブロック（５）が、水平方向に変形可能なコンクリートパイル（６）を介して、硬質地盤（２）まで下方向に延在しており、垂直荷重に対して耐性である一方、地震の時にトンネルと軟弱地盤（１）が水平移動するようにしている。
【０００２】
本発明は、軟弱地盤（泥、その他）である、震域において、適度の信頼性を備えるトンネルを提供する、トンネルボーリングマシーンを用いて行われる道路と鉄道トンネル用の施工に関する。本発明によれば、現存のトンネルを内側強化用外枠として用いて、現存のトンネルを強化することもできる。
【０００３】
[従来技術]
トンネルボーリングマシーンによるトンネルの施工は、道路と鉄道輸送システムのインフラ構築においてますます使用されてきている解決策である。
【０００４】
従来のトンネルボーリングマシーンによるトンネル施工は、前記マシーンで地盤を掘削し、トンネル表面周囲にプレキャストコンクート部材を設けてトンネル壁面を作るというマシーンによってトンネルを掘削する工程から成る。
【０００５】
トンネル建設のこの解決策には、硬質地盤（硬化粘土、その他）が適当である。なぜなら、この方法においてできたトンネルは、周辺地盤の硬さによってトンネルに安定性が生じ、横方向とトンネル軸の方向の双方に有意な強度を有する必要がなくなるからである。
【０００６】
軟弱地盤（泥、その他）の場合、トンネルボーリングマシーンによるトンネル施工は信頼性に欠ける。なぜなら、このように作ったトンネルでは、プレキャスト部材間の連結が非常に弱くなるためである。このように、トンネル壁面の強度が低くなり、特に地震時に沈下又は崩壊の危険性がある。
【０００７】
特開２００５−２４８６５６号公報は、角形シリンダでできた外側及び内側アークと、これらの２本のアーク間の天然地盤の、３つのアーク状部分で構成された地下構造を開示している。
【０００８】
特開平０７−０４８８５１号公報は、一端が地面に固定され、多端がトンネルに固定された係留部材を有する水中に施工されたトンネルを開示している。これは、渦流でコープに縦方向の推進力を発生するスラスタを用いている。
【０００９】
特開平２−１２８０９８号公報は、トンネルのシールドライニング施工法を開示している。ここでは、プレキャストコンクリートブロックから突出した強化バーを用いて、これらのブロックをコンクリートチューブの後ろに固定して、トンネルの内側表面の表面処理を改良するようにしている。
【００１０】
[発明の詳細な説明]
トンネルは、トンネルボーリングマシーンによって軟弱地盤（１）に作った外側チューブ（３）と、当該外側チューブ（３）の内側に後に作る内側チューブ（４）の、一緒に動作する、コンクリートでできた２本の同心円形チューブによって構成されている。
【００１１】
トンネルボーリングマシーンは、トンネルボーリングマシーンを用いた従来のトンネル構築と同様に、軟弱地盤（１）を掘削して、トンネル表面に互いに固定されているプレキャスト部材を配置して、トンネルの外側チューブ（３）を形成する。
【００１２】
外側チューブ（３）の内側に、外側チューブを外側型枠として用いて内側チューブ（４）が構築される。この内側チューブ（４）には、トンネルにかかる縦及び横の作用に耐性のある補強材（７）が設けられる。
【００１３】
貧配合コンクリートの場合は、トンネルの軸に沿って一定間隔でベアリングブロック（５）を軟弱地盤に埋め込む。軟弱地盤（１）はトンネルボーリングマシーンを用いて、穴を空けて、外側チューブ（３）を取り込んで、リングを形成する。
【００１４】
ベアリングブロック（５）は、硬質地盤（２）に届くまで下側に延びており、変形可能なコンクリートパイル（６）を通って、硬質地盤（２）に打ち込まれて、垂直荷重に耐性があるが、地震が起きたときにトンネルと軟弱地盤（１）が水平方向に動くようにする。
【００１５】
本発明の実施例を図に従って説明したが、これらの実施例は本発明のあらゆる形式を述べたものではない。むしろ、この明細書に用いられている用語は、限定ではなく説明のためのものであり、本発明の精神と範囲から外れることなく、様々な変更が可能であると理解される。
【図面の簡単な説明】
【００１６】
本発明のトンネルを図１、２、３、４及び５に示す。
【図１】図１は、本発明のトンネルの斜視図である。
【図２】図２は、本発明のトンネルの詳細な斜視図である。
【図３】図３は、本発明のトンネルと一のベアリングブロックの横断面である。
【図４】図４は、本発明のトンネルと二つのベアリングブロックの縦断面である。
【図５】図５は、本発明のトンネルと二つのベアリングブロックの平面図である。
【手続補正３】
【補正対象書類名】図面
【補正対象項目名】全図
【補正方法】変更
【補正の内容】
【図１】
2009542936.tif 000001
【図２】
2009542936.tif 000002
【図３】
2009542936.tif 000003
【図４】
2009542936.tif 000004
【図５】
2009542936.tif 000005
【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
導管を結合し密閉するためのスリーブ（１４）であって、
内面および外面を有するコア層（３２）と、
コア層の内面および外面のそれぞれの少なくとも一部に接合された面の第１の層および第２の層（３４，３６）と、
半硬質材料を含むスリーブの一部がスリーブの残り部分ほど可撓性でないように、面の第１の層と第２の層との間に位置決めされ、スリーブの第１の端部に隣接する、複数の半硬質材料の層（４０）と、
を含み、
該複数の半硬質材料の層（４０）は、スリーブの第１の端部からスリーブの中間部の方に向かって延在し、各々の層が異なる長さを有することを特徴とする、スリーブ。
【請求項２】
該半硬質材料の層（４０）のすべてを含む、面の第１の層（３６）の一部に接合されたエラストマー材料の層（５４）をさらに備える、請求項１のスリーブ。
【請求項３】
該エラストマー材料の層（５４）は、内側に延在する隆線を含み、隆線は、空気混合プレナムから外側に延在するビーズ（４８）に適合するように構成されている、請求項２のスリーブ。
【請求項４】
面の第１の層および第２の層は、繊維層上に被覆されたエラストマー材料を含む、請求項１のスリーブ。
【請求項５】
半硬質材料の最長の層（４０）は、内側に延在する隆線を含み、隆線は、空気混合プレナムから外側に延在するビーズ（４８）に適合するように構成されている、請求項１ないし４のいずれか一項記載のスリーブ。
【請求項６】
前記半硬質材料の層の端部の１つまたは複数が、丸い端部（５６）またはその上に画成されたボールを含む、請求項１ないし５のいずれか一項記載のスリーブ。
【手続補正２】
【補正対象書類名】明細書
【補正対象項目名】００５３
【補正方法】変更
【補正の内容】
【００５３】
本明細書で記載される本発明の多くの修正および他の実施の形態が、先の記載および関連する図面で示された教示の利益を有する本発明が関連する当業者には思い浮かばれる。したがって、本発明は、開示された特定の実施の形態に限定されず、修正および他の実施の形態は、添付の請求の範囲の範囲内に含まれるように意図されることが理解される。特定の用語は、本明細書で採用されるが、それらは、限定の目的のためにではなく、総括的で説明的な意義でのみ使用される。
また、本発明は以下に記載する態様を含む。
（態様１）
導管を結合し密閉する方法であって、
第１の導管の端部に隣接してエッジトリムを取り付けるステップと、
第１の導管と第２の導管との間にスリーブを延在するステップと、
スリーブの可撓性端部の一部がエッジトリムの少なくとも一部に重なるように、エッジ
トリムに隣接してスリーブの可撓性端部の位置決めをするステップと、
第２の導管の少なくとも一部上に、スリーブの可撓性端部ほど可撓性ではないスリーブ
の半硬質他端部の位置決めをするステップと、
スリーブの可撓性端部の一部が保持要素とエッジトリムとの間にはさまれるように、ス
リーブの可撓性端部上に保持要素を固定するステップと、
を含む方法。
（態様２）
エッジトリムに隣接するとともに、第１の導管の端部に隣接し少なくとも部分的に第１
の導管の端部内にある挿入物を取り付けるステップをさらに含む、態様１の方法。
（態様３）
位置決めするステップは、エッジトリムから外側に延在するビーズ上にスリーブの可撓
性端部の位置決めをするステップを含む、態様１の方法。
（態様４）
固定するステップは、スリーブの可撓性端部の少なくとも一部およびエッジトリムから
外側に延在するビーズ上方に保持要素を固定するステップを含む、態様３の方法。
（態様５）
位置決めをするステップは、第２の導管から外側に延在するビーズ上にスリーブの半硬
質端部の位置決めをするステップを含む、態様１の方法。
（態様６）
導管を結合し密閉するためのスリーブであって、
内面および外面を有するコア層と、
コア層の内面および外面のそれぞれの少なくとも一部に接合された面の第１の層および第２の層と、
半硬質材料を含むスリーブの一部がスリーブの残り部分ほど可撓性でないように、面の第１の層と第２の層との間に位置決めされ、スリーブの第１の端部に隣接する半硬質材料の少なくとも１つの層と、
を含むスリーブ。
（態様７）
半硬質材料の層を含むスリーブの一部に沿って面の第１の層に接合されたエラストマー材料の層をさらに備える、態様６のスリーブ。
（態様８）
エラストマー材料の層は、内側に延在する隆線を含み、隆線は、空気混合プレナムから外側に延在するビーズに適合するように構成されている、態様７のスリーブ。
（態様９）
面の第１の層および第２の層は、繊維層上に被覆されたエラストマー材料を含む、態様６のスリーブ。
（態様１０）
導管および空気混合プレナムを結合し密閉するためのシステムであって、
導管と、
導管から離れて配置されて、それらの間にギャップを規定する空気混合プレナムと、
導管と空気混合プレナムとの間のギャップ内に位置決めされ、可撓性端部と、可撓性端部の反対側の半硬質端部とを含むスリーブと、を含み、
可撓性端部は、導管の少なくとも一部上に位置決めされ、
半硬質端部は、導管および空気混合プレナムが互いに流体連通するように、空気混合プレナムの少なくとも一部上に位置決めされ、
半硬質端部は、スリーブの可撓性端部ほど可撓性ではない、システム。
【手続補正書】
【提出日】平成22年7月2日(2010.7.2)
【手続補正１】
【補正対象書類名】特許請求の範囲
【補正対象項目名】請求項１
【補正方法】変更
【補正の内容】
【請求項１】
式、
【化１】
2009542924.tif 000001
（式中、Ｒ１は、−Ｃ２Ｈ４ＯＨ又は−Ｃ２Ｈ４ＯＣＯＲ２であり、Ｒ２はＣ１１−Ｃ２１−アルキル又はアルケニルであり、Ａは、硫酸メチル、臭化メチル、ヨウ化メチル、そして好ましくは塩化メチルのようなアニオンである）で表されるエステルクアット化合物、約５０乃至９５重量％を本質的に含む、安定で均質の、かつ、粘稠な液体柔軟剤組成物の低温製造に特に適した濃厚なエステルクアット組成物であって、該エステルクアット化合物は、メチルジエタノールアミンを脂肪酸でエステル化し、次いでこれを、好ましくは塩化メチルで四級化することによって調製され、該脂肪酸は少なくとも５０重量％の飽和Ｃ１８脂肪酸を含み、そして該エステルクアット化合物は少なくとも５０モル％のジエステルクアット及び少なくとも１０モル％のモノエステルクアットを含有し、かつ、０．１２０ミリ当量／ｇ未満のエステルクアット活性材料の酸価を有し、残余に水と有機溶媒とを含むことを特徴とする、前記エステルクアット組成物。
【手続補正２】
【補正対象書類名】特許請求の範囲
【補正対象項目名】請求項５
【補正方法】変更
【補正の内容】
【請求項５】
前記−ＣＯＲ２基が、５２乃至９０重量％の飽和Ｃ１８脂肪酸を含有する脂肪酸から誘導される、請求項１に記載の組成物。
【手続補正３】
【補正対象書類名】特許請求の範囲
【補正対象項目名】請求項６
【補正方法】変更
【補正の内容】
【請求項６】
前記−ＣＯＲ２基が、５５乃至８５重量％の飽和Ｃ１８脂肪酸を含有する脂肪酸から誘導される、請求項１に記載の組成物。
【手続補正４】
【補正対象書類名】特許請求の範囲
【補正対象項目名】請求項７
【補正方法】変更
【補正の内容】
【請求項７】
前記−ＣＯＲ２基が好ましくは、完全に水素添加された脂肪酸から誘導され、そして前記飽和Ｃ１８脂肪酸の量が請求項５又は６で定義された量である、請求項１に記載の組成物。
【手続補正５】
【補正対象書類名】特許請求の範囲
【補正対象項目名】請求項９
【補正方法】変更
【補正の内容】
【請求項９】
安定剤としてＺｎＣｌ２、ＡｌＣｌ３、ＺｎＳＯ４又はＡｌ２（ＳＯ４）３を含有することを特徴とする、請求項１〜８のいずれか一項に記載の組成物。
【手続補正６】
【補正対象書類名】特許請求の範囲
【補正対象項目名】請求項１０
【補正方法】変更
【補正の内容】
【請求項１０】
０．００２乃至１０重量％の安定剤を含有する、請求項１〜８のいずれか一項に記載の組成物。
【手続補正７】
【補正対象書類名】特許請求の範囲
【補正対象項目名】請求項１１
【補正方法】変更
【補正の内容】
【請求項１１】
安定剤として少なくとも１つのヒドロキシエチル基を有するアミンを含有することを特徴とする、請求項１〜８のいずれか一項に記載の組成物。
【手続補正８】
【補正対象書類名】明細書
【補正対象項目名】００１３
【補正方法】変更
【補正の内容】
【００１３】
−ＣＯＲ２基は、カプロン酸、カプリル酸、カプリン酸、ラウリン酸、ミリスチル酸、パルミチン酸、イソステアリン酸、ステアリン酸、オレイン酸、エルカ酸（ｅｒｕｉｃ  ａｃｉｄ）、アラキン酸（ａｒａｃｈｉｄｉｃ  ａｃｉｄ）、ベヘン酸及びエルカ酸（ｅｒｕｃａ  ａｃｉｄ）のような天然産の脂肪酸から誘導されるのが好ましい。−ＣＯＲ２を含む好ましい酸には、Ｃ１２／Ｃ１８ココ脂肪酸、獣脂脂肪酸、完全にあるいは部分的に硬化された（水素添加された）獣脂脂肪酸、パーム脂肪酸、部分的に又は完全に水素添加されたパーム脂肪酸又はステアリン酸が包含される。
【手続補正９】
【補正対象書類名】明細書
【補正対象項目名】００２２
【補正方法】変更
【補正の内容】
【００２２】
本発明の請求項１に記載のメチルジエタノールアミンエステルクアットをベースとする、安定で、均質の、かつ粘稠な繊維柔軟剤調合物を得る手順の例は以下の通りである。
Ｉ．  水を４５℃まで加熱すること、
ＩＩ．  ジメチルジエタノールアミンエステルクアットの予備混合物を５０℃で添加すること、
ＩＩＩ．  ３０分間約１５０ｒｐｍで撹拌しながら冷却すること、
ＩＶ．  １５分間撹拌しながら急速に冷却すること。
【手続補正１０】
【補正対象書類名】明細書
【補正対象項目名】００２３
【補正方法】変更
【補正の内容】
【００２３】
本発明に開示の方法及びジメチルジエタノールアミンエステルクアットによって調製された繊維柔軟剤調合物は、特に表Ｉ及び表ＩＩに示すように低活性材料レベルに対して良好な粘度結果を示す。さらに、表Ｉは、繊維柔軟剤調合物の粘度に対して、その酸価量が重要な効果を有することが証明されている。該酸価は、飽和Ｃ１８の含有量及びエステル分布に加えて本発明で開示されている重要なパラメータである。表ＩＩには、ＤＳＤＭＡＣ及びトリエタノールアミンエステルクアットのようなその他の周知の柔軟活性剤との比較が示されている。後者については、欧州特許公開第１５８４６７４号（Ａ１）明細書に開示されているようなトリエタノールアミンエステルクアットのプレ分散物が用いられた。このプレ分散物は、本発明に開示のジメチルジエタノールアミンエステルクアットのために調製されたものであり、結果として得られる粘度を増大させるために作業温度を低減させるために用いられる。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
式、
【化１】
2009542923.tif 000001
（式中、Ｒ１は、−Ｃ２Ｈ４ＯＨ又は−Ｃ２Ｈ４ＯＣＯＲ２であり、Ｒ２はＣ１１−Ｃ２１−アルキル又はアルケニルであり、Ａは、硫酸メチル、臭化メチル、ヨウ化メチル、そして好ましくは塩化メチルのようなアニオンである）で表されるエステルクアット化合物を５０重量％未満含有する、安定で均質の粘稠な柔軟剤調合物であって、該エステルクアット化合物は、メチルジエタノールアミンを脂肪酸でエステル化し、次いでこれを、好ましくは塩化メチルで四級化することによって調製され、ここで該脂肪酸は少なくとも５０重量％の飽和Ｃ１８脂肪酸を含み、該エステルクアット化合物は少なくとも５０モル％のジエステルクアット及び少なくとも１０モル％のモノエステルクアットを含有し、かつ、０．１２ミリ当量／ｇ未満のエステルクアット活性材料の酸価を有し、残余に水と有機溶剤とを含むことを特徴とする、前記調合物。
【請求項２】
前記−ＯＣＯＲ２基が、５２乃至９０重量％の飽和Ｃ１８脂肪酸を含有する脂肪酸混合物から誘導されることを特徴とする、請求項１に記載の調合物。
【請求項３】
前記−ＯＣＯＲ２基が、５５乃至８５重量％の飽和Ｃ１８脂肪酸を含有する脂肪混合物から誘導されることを特徴とする、請求項１に記載の調合物。
【請求項４】
前記−ＯＣＯＲ２基が完全に水素添加された脂肪酸から好ましくは誘導され、ここで飽和Ｃ１８脂肪酸の量が請求項２乃至３で定義されたものであることを特徴とする、請求項１に記載の調合物。
【請求項５】
請求項１に記載の液体繊維柔軟剤調合物の製造方法であって、製造温度を低下させ、かつ、安定で均質の粘稠な柔軟剤調合物を得るために、ジメチルジエタノールアミンエステルクアットの予備混合物を調製するステップを含んでなることを特徴とする、製造方法。
【請求項６】
前記予備混合物の融解温度が約２５乃至６５℃、最も好ましくは約３０乃至６０℃であることを特徴とする、請求項５に記載の方法。
【請求項７】
融解した前記の予備混合物と、好ましくは水である液体担体との間の温度差が、１５℃まで、より好ましくは１２℃まで、さらに好ましくは１０℃までであることを特徴とする、請求項５に記載の方法。
【請求項８】
請求項１に記載の前記柔軟活性剤、ジメチルジエタノールアミンエステルクアット、好ましくは約１乃至２０％の活性材料を含有し、そして安定剤、電解質、増粘剤、分散剤及びｐＨ調整剤のような、安定性、粘性、及び分散性を増強するための任意に追加される添加成分を含有する、請求項１に記載の安定で粘稠な液体柔軟剤調合物。
【請求項９】
前記安定剤が、可溶性の遷移金属塩及び短鎖アミン誘導体のような無機化合物及び／又は有機化合物の群から選択可能であり、好ましくは、該金属塩が、ＺｎＣｌ２、ＡｌＣｌ３、ＺｎＳＯ４又はＡｌ２（ＳＯ４）３のような亜鉛塩及びアルミニウム塩であり、そして好ましくは、該短鎖アミン誘導体が少なくとも１つのヒドロキシエチル基を含有するアミン類の群であることを特徴とする、請求項８に記載の安定で粘稠な液体柔軟剤調合物。
【請求項１０】
前記増粘剤が、改質ポリグルコピラノース類及び／又は改質セルロース類のような合成及び／又は天然の有機ポリマーの群から選択されることを特徴とする、請求項８に記載の安定で粘稠な液体柔軟剤調合物。
【請求項１１】
前記ｐＨ調整剤が有機酸又は無機酸であることを特徴とする、請求項８に記載の安定で粘稠な液体柔軟剤調合物。
【手続補正２】
【補正対象書類名】明細書
【補正対象項目名】００１０
【補正方法】変更
【補正の内容】
【００１０】
−ＣＯＲ２基は、カプロン酸、カプリル酸、カプリン酸、ラウリン酸、ミリスチル酸、パルミチン酸、イソステアリン酸、ステアリン酸、オレイン酸、エルカ酸（ｅｒｕｃｉｃ  ａｃｉｄ）、アラキン酸、ベヘン酸及びエルカ酸（ｅｒｕｃａ  ａｃｉｄ）などの天然に見出される脂肪酸から誘導されるのが好ましい。−ＣＯＲ２基を含む好ましい酸には、Ｃ１２／Ｃ１８ココ脂肪酸、獣脂脂肪酸、完全にあるいは部分的に硬化された（水素添加された）獣脂脂肪酸、パーム脂肪酸、部分的に又は完全に水素添加されたパーム脂肪酸又はステアリン酸が包含される。